(57)【要約】【課題】  読み取り原稿の白紙有無を検出し、該検出結果で白紙を検出した場合には、ユーザ介入できる画面の表示とともに音声ガイドを出力する画像処理装置およびその制御方法および制御プログラムを提供する。【解決手段】  画像読取部１７で画像読み取り処理を行うとともに、白紙検出部１６で読み取った原稿に白紙があるか否かを検出する。ここで、白紙原稿が検出された場合には、ＵＩ画面制御部１１は、ＵＩ画面１０にユーザ介入が行える白紙検出報知画面を表示制御する。また、音声制御部１４は、音声出力部１３から白紙を検出した旨を音声ガイドで出力する。【選択図】  図１
2006094023.tif 000002
【特許請求の範囲】
【請求項１】
ユーザによる開始要求操作に基づき原稿の原稿面の画像を読み取る画像読取処理を実行する画像読取手段を有する画像処理装置において、
前記画像読取手段で読み取る原稿面が白紙であるか否かを検出する白紙検出手段と、
前記白紙検出手段により前記原稿面が白紙であると検出された場合に該白紙の原稿の処理の選択画面を表示器に表示する選択画面表示制御手段と
を具備することを特徴とする画像処理装置。
【請求項２】
前記白紙検出手段により前記原稿面が白紙であると検出された場合の処理を音声案内により報知する音声案内手段
を更に具備することを特徴とする請求項１記載の画像処理装置。
【請求項３】
前記選択画面表示制御手段は、
前記白紙を含むジョブをキャンセルする処理若しくは該白紙を読み飛ばす処理若しくは該白紙を読んで該ジョブを継続する処理若しくは片面原稿設定だった場合に両面設定に変更する処理若しくは片面原稿設定だった場合に白紙を読み飛ばして両面原稿設定に変更する処理の少なくとも２つを選択肢として含む選択画面を表示する
ことを特徴とする請求項１または２記載の画像処理装置。
【請求項４】
前記白紙検出手段により前記原稿面が全て白紙であると検出された場合は、当該ジョブをキャンセルするとともに該ジョブがキャンセルされた旨を報知する報知手段
を更に具備することを特徴とする請求項１または２記載の画像処理装置。
【請求項５】
前記白紙検出手段により前記原稿面が全てが白紙であると検出された場合は、前記原稿面を読み取った原稿を全て裏返して再読取を行うことを報知する報知手段
を更に具備することを特徴とする請求項１または２記載の画像処理装置。
【請求項６】
前記開始要求操作を検出する操作検出手段と、
前記操作検出手段による前記開始要求操作の検出に対応して前記画像読取手段で読み取った画像の処理の設定確認画面を表示器に表示する設定確認画面表示制御手段と
を更に具備することを特徴とする請求項１記載の画像処理装置。
【請求項７】
前記画像読取手段で読み取った画像の処理を音声案内により報知する報知手段
を更に具備することを特徴とする請求項６記載の画像処理装置。
【請求項８】
ユーザによる開始要求操作に基づき原稿の原稿面の画像を読み取る画像読取処理を画像読取手段で実行する画像処理装置の制御方法において、
前記画像読取手段で読み取る原稿面が白紙であるか否かを白紙検出手段で検出し、
前記白紙検出手段により前記原稿面が白紙であると検出された場合に、該白紙を含むジョブをキャンセルする処理若しくは該白紙を読み飛ばす処理若しくは該白紙を読んで該ジョブを継続する処理若しくは片面原稿設定だった場合に両面設定に変更する処理若しくは片面原稿設定だった場合に白紙を読み飛ばして両面原稿設定に変更する処理の少なくとも２つを選択肢として含む選択画面を表示器に選択画面表示制御手段で表示するとともに、該選択画面の操作手順を音声案内手段で音声案内により報知する
ことを特徴とする制御方法。
【請求項９】
ユーザによる開始要求操作に基づき原稿の原稿面の画像を読み取る画像読取処理を実行する画像読取手段を有する画像処理装置の処理をコンピュータに実行させる制御プログラムであって、
前記画像読取手段で読み取る原稿面が白紙であるか否かを検出する白紙検出ステップと、
前記白紙検出ステップにより前記原稿面が白紙であると検出された場合に、該白紙を含むジョブをキャンセルする処理若しくは該白紙を読み飛ばす処理若しくは該白紙を読んで該ジョブを継続する処理若しくは片面原稿設定だった場合に両面設定に変更する処理若しくは片面原稿設定だった場合に白紙を読み飛ばして両面原稿設定に変更する処理の少なくとも２つを選択肢として含む選択画面を表示器に表示する選択画面表示制御ステップと、
前記白紙検出ステップにより前記原稿面が白紙であると検出された場合の処理を音声案内により報知する音声案内ステップと
を含み、
前記選択画面表示制御ステップで選択画面を表示器に表示するとともに、前記音声案内ステップで該選択画面の操作手順を音声案内により報知する
ことを特徴とする制御プログラム。
【発明の詳細な説明】
【技術分野】
【０００１】
本発明は、ユーザによる開始要求操作に基づき原稿の原稿面の画像を読み取る画像読取処理を実行する画像処理装置およびその制御方法および制御プログラムに係わり、詳しくは、開始要求操作（スタートボタン押下）とともに、読み取り原稿の白紙有無を検出し、該検出結果で白紙を検出した場合には、ユーザ介入できる画面の表示とともに音声ガイドを出力する画像処理装置およびその制御方法および制御プログラムに関する。
【背景技術】
【０００２】
従来、ファックス、コピー機および複合機などの画像処理装置には、ユーザが設定した機能内容を確認する画面、すなわち、機能設定確認画面が設けられている。そのため、ユーザは表示器に表示された機能設定確認画面を参照することで、機能の設定状況を容易に確認することができる。
【０００３】
しかし、この機能設定確認画面は、ユーザが意図的に表示しない限り表示されるものではないため、誤った設定状況のままジョブをスタートしてしまうといった操作ミスが多々発生していた。
【０００４】
特に、視覚障害者（全盲、弱視、視力の低下した人など）の場合、複合機で様々なジョブを起動する際、機能の設定ミスや読み取り原稿に白紙があることに気付かず、ユーザの意図とは反するジョブを実行してしまう可能性が非常に高いものであった。
【０００５】
このような機能の設定ミスを抑止する技術として、特許文献１記載の「記録装置」が開示されている。
【０００６】
この特許文献１の発明は、設定された機能のみを設定確認できる画面を設け、表示された機能をその画面から設定変更することができるため、操作性が向上するという技術について言及されている。
【０００７】
また、白紙原稿を検出する技術として、特許文献２記載の「原稿自動送り装置を備えた複写機の原稿表裏確認装置」が開示されている。
【０００８】
この特許文献２の発明は、原稿画像の有無を検出できるのに加えて、白紙原稿を誤検出した場合でも、スタートボタンを再び押下すれば処理を再開するので、誤検出により生ずるコピー作業時間等の無駄の発生を極力抑えられるという技術について言及されている。
【特許文献１】特開２０００−２３１３０８号
【特許文献２】特開平０９−１９７７２９号
【発明の開示】
【発明が解決しようとする課題】
【０００９】
しかしながら、上記特許文献１は、機能設定確認画面を表示するが、設定変更がなされたもののみを表示するといったものであり、例えば、排紙トレイの出力先の変更がなされていない場合には、どの排紙トレイから出力されるかといった情報は報知されず、特に、視覚障害者にとっては操作が困難であった。
【００１０】
また、上記特許文献２の発明は、白紙を検出した際に、ジョブを継続して実行できるというものであるが、ユーザ介入を行える画面を表示するものではなく、特に、視覚障害者にとっては白紙検出後にどのように操作を行えばよいかが、分かり辛いものであった。
【００１１】
そこで、本発明は上記問題点に鑑みてなされたものであり、読み取り原稿の白紙有無を検出し、該検出結果で白紙を検出した場合には、ユーザ介入できる画面の表示とともに音声ガイドを出力することで、特に、視覚障害者の操作性を向上させる画像処理装置およびその制御方法および制御プログラムを提供することを目的とする。
【課題を解決するための手段】
【００１２】
上記目的を達成するために、請求項１の発明は、ユーザによる開始要求操作に基づき原稿の原稿面の画像を読み取る画像読取処理を実行する画像読取手段を有する画像処理装置において、前記画像読取手段で読み取る原稿面が白紙であるか否かを検出する白紙検出手段と、前記白紙検出手段により前記原稿面が白紙であると検出された場合に該白紙の原稿の処理の選択画面を表示器に表示する選択画面表示制御手段とを具備することを特徴とする。
【００１３】
また、請求項２の発明は、請求項１の発明において、前記白紙検出手段により前記原稿面が白紙であると検出された場合の処理を音声案内により報知する音声案内手段を更に具備することを特徴とする。
【００１４】
また、請求項３の発明は、請求項１または２の発明において、前記選択画面表示制御手段は、前記白紙を含むジョブをキャンセルする処理若しくは該白紙を読み飛ばす処理若しくは該白紙を読んで該ジョブを継続する処理若しくは片面原稿設定だった場合に両面設定に変更する処理若しくは片面原稿設定だった場合に白紙を読み飛ばして両面原稿設定に変更する処理の少なくとも２つを選択肢として含む選択画面を表示することを特徴とする。
【００１５】
また、請求項４の発明は、請求項１または２の発明において、前記白紙検出手段により前記原稿面が全て白紙であると検出された場合は、当該ジョブをキャンセルするとともに該ジョブがキャンセルされた旨を報知する報知手段を更に具備することを特徴とする。
【００１６】
また、請求項５の発明は、請求項１または２の発明において、前記白紙検出手段により前記原稿面が全てが白紙であると検出された場合は、前記原稿面を読み取った原稿を全て裏返して再読取を行うことを報知する報知手段を更に具備することを特徴とする。
【００１７】
また、請求項６の発明は、請求項１の発明において、前記開始要求操作を検出する操作検出手段と、前記操作検出手段による前記開始要求操作の検出に対応して前記画像読取手段で読み取った画像の処理の設定確認画面を表示器に表示する設定確認画面表示制御手段とを更に具備することを特徴とする。
【００１８】
また、請求項７の発明は、請求項６の発明において、前記画像読取手段で読み取った画像の処理を音声案内により報知する報知手段を更に具備することを特徴とする。
【００１９】
また、請求項８の発明は、ユーザによる開始要求操作に基づき原稿の原稿面の画像を読み取る画像読取処理を画像読取手段で実行する画像処理装置の制御方法において、前記画像読取手段で読み取る原稿面が白紙であるか否かを白紙検出手段で検出し、前記白紙検出手段により前記原稿面が白紙であると検出された場合に、該白紙を含むジョブをキャンセルする処理若しくは該白紙を読み飛ばす処理若しくは該白紙を読んで該ジョブを継続する処理若しくは片面原稿設定だった場合に両面設定に変更する処理若しくは片面原稿設定だった場合に白紙を読み飛ばして両面原稿設定に変更する処理の少なくとも２つを選択肢として含む選択画面を表示器に選択画面表示制御手段で表示するとともに、該選択画面の操作手順を音声案内手段で音声案内により報知することを特徴とする。
【００２０】
また、請求項９の発明は、ユーザによる開始要求操作に基づき原稿の原稿面の画像を読み取る画像読取処理を実行する画像読取手段を有する画像処理装置の処理をコンピュータに実行させる制御プログラムであって、前記画像読取手段で読み取る原稿面が白紙であるか否かを検出する白紙検出ステップと、前記白紙検出ステップにより前記原稿面が白紙であると検出された場合に、該白紙を含むジョブをキャンセルする処理若しくは該白紙を読み飛ばす処理若しくは該白紙を読んで該ジョブを継続する処理若しくは片面原稿設定だった場合に両面設定に変更する処理若しくは片面原稿設定だった場合に白紙を読み飛ばして両面原稿設定に変更する処理の少なくとも２つを選択肢として含む選択画面を表示器に表示する選択画面表示制御ステップと、前記白紙検出ステップにより前記原稿面が白紙であると検出された場合の処理を音声案内により報知する音声案内ステップとを含み、前記選択画面表示制御ステップで選択画面を表示器に表示するとともに、前記音声案内ステップで該選択画面の操作手順を音声案内により報知することを特徴とする。
【発明の効果】
【００２１】
本発明によれば、読み取り原稿の白紙有無を検出し、該検出結果で白紙を検出した場合には、ユーザ介入できる画面の表示とともに音声ガイドを出力するように構成したため、視覚障害者を含む全てのユーザの操作性を向上させることができる。
【発明を実施するための最良の形態】
【００２２】
以下、本発明に係わる画像処理装置およびその制御方法および制御プログラムの実施例について添付図面を参照して詳細に説明する。
【実施例１】
【００２３】
図１は、本発明に係わる画像処理装置を適用した複合機１の概略構成を示すブロック図である。なお、ここでは、本発明に係わる構成要素のみを挙げて説明する。
【００２４】
図１において、複合機１は、各種処理機能部として、ＵＩ（User Interface）画面１０と、ＵＩ（User Interface）画面制御部１１と、システムデータ記憶部１２と、音声出力部１３と、音声制御部１４と、音声データ記憶部１５と、白紙検出部１６と、画像読取部１７とを具備して構成される。
【００２５】
ＵＩ画面１０は、装置本体に備わるオペレーションパネルであり、具体的には、タッチパネルや操作ボタンなどの入力用デバイスと、ＬＥＤ（Light Emitting Diode）、ＬＣＤ（Liquid Crystal Display）などの表示用デバイスを具えたユーザインターフェースである。白紙原稿が検出された場合には、この表示用デバイスにユーザ介入が行える画面を表示することで、白紙原稿が読み取り原稿に含まれている旨を報知する。
【００２６】
また、入力用デバイスとして配設されるボタンの１つにスタートボタンがあり、このスタートボタンの押下とともに、後述する画像読取部１７において画像読取処理が開始される。
【００２７】
ＵＩ画面制御部１１は、上述したＵＩ画面１０の制御を行う処理部である。例えば、システムデータ記憶部１２に記憶される各種画面をＵＩ画面１０に表示制御する。かかる画面からユーザが入力用デバイスを用いてユーザ指示を入力した場合には、ユーザ指示に基づく処理を各種処理機能部と連携して実行する。
【００２８】
また、後述する白紙検出部１６から読み取り原稿に白紙原稿が含まれている旨の通知を受信すると、システムデータ記憶部１２から画面を取得し、ユーザ介入が行える白紙検出報知画面をＵＩ画面１０に表示制御する。
【００２９】
システムデータ記憶部１２は、先に述べた通り、ＵＩ画面１０に表示するための各種画面を含むデータを記憶する記憶装置である。この他、一般的な複合機１の動作に係わるシステムデータを保持する。
【００３０】
音声出力部１３は、装置本体に備わるスピーカーである。例えば、読み取り原稿に白紙原稿が含まれている場合などには、その旨や対応する処理手順を音声ガイドで知らせるため、視覚障害者にも確実に白紙があることを報知することができる。
【００３１】
音声制御部１４は、上述した音声出力部１３の制御を行う処理部である。具体的には、ＵＩ画面制御部１１から音声ガイドの出力指示通知を受けた場合に、音声データ記憶部１５に記憶される各種音声データから該当するデータを取得し、音声出力部１３から音声ガイドを出力する。
【００３２】
音声データ記憶部１５は、先に述べた通り、音声出力部１３から音声出力するための各種音声データを記憶する記憶装置である。
【００３３】
白紙検出部１６は、後述する画像読取部１６で読み込まれた入力画像データを解析し、白紙原稿があるか否かを検出する処理部である。ここで、白紙原稿が検出された場合には、ＵＩ画面制御部１１にその旨を通知する。
【００３４】
画像読取部１７は、原稿を読み取る処理部であり、図示しない給紙トレイなどにセットされた原稿を読み取る。具体的には、絵や文字などが形成された原稿を走査して、得られた情報をデジタルデータに変換する。この際、読み込んだ入力画像データを白紙検出部１６へと連携する。以上が本発明に係わる複合機１の各種処理機能部の説明である。
【００３５】
次に、図２乃至４を参照しながら、上記図１に示したＵＩ画面１０に表示される報知画面について説明する。
【００３６】
図２には、白紙検出報知画面の画面レイアウトの一例が示されている。なお、白紙検出報知画面は、読み取り原稿に白紙原稿が含まれている場合に、ＵＩ画面１０の表示用デバイスに表示されるユーザ介入画面である。
【００３７】
同図に示されるように、白紙検出報知画面はユーザ介入手段として、白紙原稿込みでそのままジョブの継続実行を指示するボタン１０１、白紙原稿は読み飛ばしてジョブの継続実行を指示するボタン１０２、実行中のジョブの中止を指示するボタン１０３を具備して構成される。
【００３８】
また、この白紙検出報知画面の表示とともに、音声出力部１３で「白紙を検出しました。画面に表示されたボタンからユーザ指示を入力してください。」旨の音声ガイドの出力を行う。続けて、白紙検出報知画面における操作手順を音声ガイドする。例えば、「そのままジョブを実行する場合は画面内左側に配設されるボタンを押下してください。また、白紙を除外してジョブを実行する場合は画面内中央に配設されるボタンを押下してください。また、ジョブをキャンセルする場合は画面内右側に配設されるボタンを押下してください。」旨の音声ガイドによってユーザ指示の入力を促す。
【００３９】
この白紙検出報知画面の表示若しくは音声ガイドによってユーザは原稿に白紙が含まれていることを認識することとなる。ここで、ユーザがボタン１０２を押下して、白紙を除外してジョブの継続実行を指示した結果、全ての原稿が白紙であった場合、読み込むべき原稿がないことになるため、そのジョブはキャンセルされたこととなる。
【００４０】
そういった場合、ＵＩ画面制御部１１は、図３に示すジョブ中止報知画面をＵＩ画面１０に表示する。
【００４１】
図３において、同図にはジョブ中止報知画面の画面レイアウトの一例が示されている。なお、ここでは、表示されるメッセージ内容がそれぞれ異なるジョブ中止報知画面（ａ）および（ｂ）を説明する。
【００４２】
まず、同図（ａ）に示されるジョブ中止報知画面は、「読み取り原稿が全て白紙であったためジョブはキャンセルされました。」旨のメッセージを表示して、ジョブがキャンセルになった旨をユーザに報知する。
【００４３】
また、このジョブ中止報知画面の表示とともに、音声出力部１３で「白紙原稿を除外してジョブを実行した結果、読み取り原稿が全て白紙であったためジョブはキャンセルされました。」旨の音声ガイドの出力を行う。
【００４４】
続いて、同図（ｂ）に示されるジョブ中止報知画面は、「読み取り原稿が全て白紙であったためジョブはキャンセルされました。原稿の表裏が逆にセットされている可能性があります。原稿を確認して再実行してください。」旨のメッセージを表示して、ジョブがキャンセルになった旨と原稿を裏返してジョブを再実行するようにユーザに促す報知を行う。
【００４５】
また、（ａ）同様に、このジョブ中止報知画面の表示とともに、音声出力部１３で「白紙原稿を除外してジョブを実行した結果、読み取り原稿が全て白紙であったためジョブはキャンセルされました。原稿の表裏が逆にセットされている可能性があります。原稿を確認して再実行してください。」旨の音声ガイドの出力を行う。
【００４６】
図４は、上記図２で説明した白紙検出報知画面の変形例を示す図である。なお、上記図２と同一の符号が付してあるものは同一であるため、その説明は省略する。
【００４７】
同図に示される白紙検出報知画面は、上記図２で説明した画面に、両面設定でジョブの再実行を指示するボタン１０４を加えて構成したものである。
【００４８】
この両面設定でジョブ実行ボタン１０４は、原稿の読み取りが片面設定で実行された場合、原稿の表裏が逆に設定されたことで白紙が検出された可能性があるため、そういった場合に対処する役割を果たすボタンである。具体的には、このボタン１０４が押下されると、原稿の白紙面を除外しつつ、両面設定で原稿の読み取りを行う。
【００４９】
なお、この両面設定でジョブ実行ボタン１０４が押下された場合に、白紙原稿込みでかつ両面設定で原稿の読み取りを行うようにしてもかまわない。
【００５０】
また、この両面設定でジョブ実行ボタン１０４の替わりに、原稿を全て裏返してジョブを再実行する機能を果たすボタンを配設しても構わない。
【００５１】
上述したように本発明においては、このような画面の表示若しくは、音声ガイドを行うことで、白紙原稿が読み取り原稿に含まれている旨や、白紙原稿検出後の操作手順をユーザに報知する。そのため、ユーザは白紙原稿が含まれていることを容易に認識できるとともに、白紙検出後の操作も容易に行えるようになる。
【００５２】
図５は、図１に示した複合機１における制御処理の動作を説明するフローチャートである。
【００５３】
図５において、この制御処理は、複合機１の給紙トレイなどに読み取り原稿がセットされた状態で、スタートボタンの押下が行われると開始される（ステップＳ１０１でＹＥＳ）。
【００５４】
この制御処理が開始されると、まず、白紙検出を行うか否かの判断を行う（ステップＳ１０２）。これは、ＵＩ画面１０に配設されるスタートボタン押下とともに、ＵＩ画面制御部１１が、システムデータ記憶部１２に予め設定されている白紙検出有無情報を参照することで、白紙検出を行うか否かが判断される。
【００５５】
ここで、システムデータ記憶部１２において、白紙検出なしが設定されている場合は（ステップＳ１０２でＮＯ）、画像読取部１７で白紙原稿の有無に関係無く原稿読取処理が実行され（ステップＳ１０３）、複合機１における所定の処理終了後、この制御処理を終了する。具体的には、ＵＩ画面制御部１１からのスタートボタン押下通知とともに、画像読取部１７において画像読取処理が開始および実行される。この際、読み取った入力画像データを白紙検出部１６には連携せずに、白紙原稿の有無に関係無くジョブを実行する。
【００５６】
一方、システムデータ記憶部１２において、白紙検出ありが設定されている場合は（ステップＳ１０２でＹＥＳ）、白紙の検出処理を行いつつ原稿読取処理が実行される（ステップＳ１０４）。具体的には、ＵＩ画面制御部１１からのスタートボタン押下通知とともに、画像読取部１７において画像読取処理を開始および実行する。この際、読み取った入力画像データを白紙検出部１６に連携し、白紙原稿の検出処理を行う。
【００５７】
そして、読み取り原稿に白紙原稿が含まれておらず、原稿読取処理が終了した場合には（ステップＳ１０５でＹＥＳ）、複合機１における所定の処理終了後、この制御処理を終了するが、原稿読取処理中に白紙原稿が検出された場合には（ステップＳ１０５でＮＯ、ステップＳ１０６でＹＥＳ）、白紙検出部１６からＵＩ画面制御部１１に白紙を検出した旨の通知を行う。
【００５８】
白紙検出部１６から白紙検出通知を受信したＵＩ画面制御部１１は、上記図２に示すような白紙を検出した旨のユーザ介入画面をＵＩ画面１０に表示制御するとともに（ステップＳ１０７）、システムデータ記憶部１２に予め設定されている音声ガイド有無情報を参照して音声ガイド出力を行うか否かの判断を行う（ステップＳ１０８）。
【００５９】
ここで、システムデータ記憶部１２において、音声ガイドなしが設定されている場合は（ステップＳ１０８でＮＯ）、ＵＩ画面１０からユーザ指示が入力されるまで待機するが一方、システムデータ記憶部１２において、音声ガイドありが設定されている場合は（ステップＳ１０８でＹＥＳ）、ＵＩ画面制御部１１から音声制御部１４へと音声ガイドの出力指示通知を行う。この出力指示通知受信とともに、音声制御部１４は、音声データ記憶部１５に記憶される各種音声データから該当するデータを取得し、音声出力部１３から音声ガイドを出力する（ステップＳ１０９）。
【００６０】
例えばこの音声ガイドでは、「白紙を検出しました。画面に表示されたボタンからユーザ指示を入力してください。」旨の音声ガイド出力後、「そのままジョブを実行する場合は画面内左側に配設されるボタンを押下してください。また、白紙を除外してジョブを実行する場合は画面内中央に配設されるボタンを押下してください。また、ジョブをキャンセルする場合は画面内右側に配設されるボタンを押下してください。」旨の音声ガイドによってユーザ指示の入力を促す。
【００６１】
上述した処理によってＵＩ画面１０に表示された画面若しくは、音声ガイドによって読み取り原稿に白紙が含まれていたことを認識したユーザは、音声ガイドに従って、ジョブをキャンセルするか、白紙原稿込みでそのまま読み取り処理を行うか、白紙原稿を除いて読み取り処理を行うかの選択を行う。すなわち、上記図２に示した白紙検出報知画面に配設されるボタン（符号１０１〜１０３）のいずれかを押下する。
【００６２】
ユーザによってジョブキャンセルボタン１０３が押下された場合は（ステップＳ１１０でＹＥＳ）、複合機１は実行中のジョブをキャンセルし（ステップＳ１１１）、この制御処理を終了するが、ユーザによってそのままジョブを実行ボタン１０１が押下された場合は（ステップＳ１１０でＮＯの後、ステップＳ１１２でＹＥＳ）、白紙原稿込みでそのままジョブを継続実行する。
【００６３】
また、ユーザによって白紙を除外してジョブ実行ボタン１０２が押下された場合は（ステップＳ１１２でＮＯの後、ステップＳ１１３でＹＥＳ）、白紙原稿を除いてジョブを継続実行する。そして、給紙トレイにセットされた全ての原稿の読み取り処理がなされ（ステップＳ１０４でＹＥＳ）、複合機１における所定の処理が終了すると、この制御処理を終了する。
【００６４】
以上説明したように本発明においては、読み取り原稿の白紙有無を検出し、該検出結果で白紙を検出した場合には、ユーザ介入できる画面の表示とともに音声ガイドを出力するように構成したため、視覚障害者を含む全てのユーザの操作性を向上させることができる。
【実施例２】
【００６５】
上記実施例１の制御方法に加え、実施例２では、スタートボタン押下とともに機能の設定確認が行える画面若しくは音声ガイドを行う場合の実施形態について説明する。
【００６６】
図６は、実施例２における複合機１の概略構成を示すブロック図であり、実施例１を説明した上記図１の構成に設定状況検出部１８を加えて構成したものである。なお、上記図１と同一の符号が付してあるものは略同様に動作するので、説明を省略するものもある。
【００６７】
設定状況検出部１８は、スタートボタン押下に際して、複合機１に現在設定されている各種機能の設定値を検出する処理部である。例えば、コピーの排紙先設定や出力時の用紙サイズ設定や倍率設定・・・等の機能設定値を検出する。また、この検出結果をＵＩ画面制御部１１へ通知する。
【００６８】
ＵＩ画面制御部１１は、スタートボタン押下とともに、複合機１に現在設定されている各種機能の設定値の確認が行える機能設定確認画面をＵＩ画面１０に表示制御する。具体的には、上述した設定状況検出部１８が検出した各種機能の設定値を一覧にして機能設定確認画面に表示する。
【００６９】
音声制御部１４は、上述したＵＩ画面制御部１１から音声ガイドの出力指示通知を受けた場合に、音声データ記憶部１５に記憶される各種音声データから該当するデータを取得し、音声出力部１３から音声ガイドを出力する。例えば、機能設定確認画面に表示された各種機能の設定値を順番に音声ガイドする。
【００７０】
次に、ＵＩ画面１０に表示される機能設定確認画面について、図７を参照しながら説明する。
【００７１】
同図には、機能設定確認画面の画面レイアウトの一例が示されている。なお、機能設定確認画面は、スタートボタン押下とともに表示されユーザに機能設定確認を促す画面である。
【００７２】
この機能設定確認画面は、用紙選択、倍率選択、画質、両面・片面選択、まとめて１枚などの設定項目に対応して、現在の設定値が表示されている。この場合にはコピー機能に関する機能設定値項目が全て表示されている。また、画面右下には、確定／変更ボタン２０１が配設されており、ユーザの意図とは反する値が設定されている機能の設定値を変更することもできる。
【００７３】
また、この機能設定確認画面の表示とともに、音声出力部１３で「現在設定されている機能の設定確認を行います。」旨の音声ガイド出力後、機能の設定状況を音声ガイドする。例えば、「用紙選択にはトレイ１にセットされたＡ４サイズの用紙が選択されています。また倍率選択には自動選択が設定されています。・・・」旨の音声ガイドによってユーザに確実に現在の機能設定状況を報知する。
【００７４】
上述したように本発明においては、このような画面の表示若しくは、音声ガイドを行うことで、機能の設定ミスなどを抑制し、操作の利便性を高めることができる。例えば、複合機１に通常の排紙トレイとフィニッシャートレイが配設されている場合、パンチ、ホッチキスなどのフィニッシャー機能を設定しコピーを実行した時にはフィニッシャートレイに排紙されることとなり一方、後処理設定を行わなかった時には通常の排紙トレイに排紙されることとなるため、特に、視覚障害者などは、どの排紙トレイにコピー後の用紙が排紙されるかは分かり辛いため、この機能設定確認画面若しくは音声ガイドなどで報知することで操作の利便性を高めることができる。
【００７５】
なお、上述した機能設定確認画面に用紙節約ボタンを配設してもよい。その場合、ユーザが用紙節約ボタンを押下したならば、当該ジョブの実行に際して、最も用紙が節約できる機能設定をユーザに報知する。例えば、「両面コピー、Ｎｕｐ機能を使用すると用紙が大幅に節約できます。」旨の画面表示若しくは音声ガイドを出力する。
【００７６】
図８は、図６に示した複合機１における制御処理の動作を説明するフローチャートである。
【００７７】
図８において、この制御処理は、複合機１の給紙トレイなどに読み取り原稿がセットされた状態で、スタートボタンの押下が行われると開始される（ステップＳ２０１でＹＥＳ）。
【００７８】
この制御処理が開始されると、まず、設定確認を行うか否かの判断を行う（ステップＳ２０２）。これは、ＵＩ画面１０に配設されるスタートボタン押下とともに、ＵＩ画面制御部１１が、システムデータ記憶部１２に予め設定されている設定確認有無情報を参照することで、設定確認を行うか否かが判断される。
【００７９】
ここで、システムデータ記憶部１２において、設定確認なしが設定されている場合は（ステップＳ２０２でＮＯ）、画像読取部１７で原稿読取処理が実行され（ステップＳ２１１）、複合機１における所定の処理終了後、この制御処理を終了する。具体的には、ＵＩ画面制御部１１からのスタートボタン押下通知とともに、画像読取部１７において画像読取処理が開始および実行される。
【００８０】
一方、システムデータ記憶部１２において、設定確認ありが設定されている場合は（ステップＳ２０２でＹＥＳ）、上記図７に示すような機能設定確認画面を表示する（ステップＳ２０３）。具体的には、ＵＩ画面制御部１１からのスタートボタン押下通知とともに、設定状況検出部１８が現在設定されている各種機能の設定値を検出し、該検出結果をＵＩ画面制御部１１に送信する。ＵＩ画面制御部１１は、この検出結果を一覧にした機能設定確認画面をＵＩ画面１０に表示する。
【００８１】
続いて、ＵＩ画面制御部１１は、システムデータ記憶部１２に予め設定されている音声ガイド有無情報を参照して音声ガイド出力を行うか否かの判断を行う（ステップＳ２０４）。
【００８２】
ここで、システムデータ記憶部１２において、音声ガイドなしが設定されている場合は（ステップＳ２０４でＮＯ）、ＵＩ画面１０からユーザ指示が入力されるまで待機するが一方、システムデータ記憶部１２において、音声ガイドありが設定されている場合は（ステップＳ２０４でＹＥＳ）、ＵＩ画面制御部１１から音声制御部１４へと音声ガイドの出力指示通知を行う。この出力指示通知受信とともに、音声制御部１４は、音声データ記憶部１５に記憶される各種音声データから該当するデータを取得し、音声出力部１３から音声ガイドを出力する（ステップＳ２０５）。
【００８３】
例えばこの音声ガイドでは、上記図７に示すような機能設定確認画面が表示された場合は、「現在設定されている機能の設定確認を行います。」旨の音声ガイド出力後、「用紙選択にはトレイ１にセットされたＡ４サイズの用紙が選択されています。また倍率選択には自動選択が設定されています。・・・」旨の音声ガイドによってユーザに確実に現在の機能設定状況を報知する。
【００８４】
上述した処理によってＵＩ画面１０に表示された画面若しくは、音声ガイドによって現在の機能設定状況を認識したユーザは、機能の設定変更を行うか否かの判断を行う（ステップＳ２０６）。
【００８５】
ユーザが機能設定確認画面を参照した結果、設定変更を所望する場合は（ステップＳ２０６）、機能設定確認画面上から設定変更操作を行い（ステップＳ２０７）、ステップＳ２０３に戻り、再び機能設定確認画面を参照して設定状況を確認するが、ユーザが機能設定確認画面を参照した結果、設定変更は必要ないと判断した場合は（ステップＳ２０６でＮＯ）、複合機１は、排紙先に関する音声ガイドを行うか否かの判断を行う（ステップＳ２０８）。すなわち、上述したステップＳ２０４と同一の処理を行う。
【００８６】
ステップＳ２０８の結果を受けて、音声ガイドを行わない場合は（ステップＳ２０８でＮＯ）、スタートボタン再押下待ちとなるが一方、ステップＳ２０８の結果を受けて、音声ガイドを行う場合は（ステップＳ２０８でＹＥＳ）、排紙先を音声ガイド出力する。すなわち、ユーザの設定操作によって後処理が選択された場合などには、排紙先トレイが変更されるので、その旨を報知する。
【００８７】
そして、複合機１はスタートボタン押下待ちとなり、ここで、ユーザによってスタートボタンが押下されると（ステップＳ２１０）、画像読取部１７で原稿読取処理が実行され（ステップＳ２１１）、複合機１における所定の処理終了後、この制御処理を終了する。
【００８８】
上述したように実施例２においては、上記実施例１の制御処理に加えて、スタートボタン押下とともに機能の設定確認が行える画面若しくは音声ガイドを行うように構成したため、機能の設定ミスなどを抑制し、操作の利便性を高めることができる。
【００８９】
なお、上記実施例においては、本発明に係わる画像処理装置を複合機１に適用する場合を説明したが、この画像処理装置の制御方法を複合機１にインストールされた制御プログラムにより実行させるように構成してもよい。
【００９０】
また、本発明に係わる画像処理装置は、複合機に限らず、画像読取装置を有するファックス、コピー機などの画像処理装置全般に適用可能である。
【産業上の利用可能性】
【００９１】
本発明の画像処理装置およびその制御方法および制御プログラムは、画像読取装置を有する画像処理装置全般に適用可能であり、白紙原稿の読み取りが行われた場合にはその旨を表示若しくは音声ガイドにより報知するので、特に、初心者ユーザや視覚障害者にとって有効なシステムである。
【図面の簡単な説明】
【００９２】
【図１】本発明に係わる画像処理装置を適用した複合機１の概略構成を示すブロック図である。
【図２】ＵＩ画面１０に表示される報知画面の画面レイアウト（白紙検出報知画面）の一例を示す図である。
【図３】ＵＩ画面１０に表示される報知画面の画面レイアウト（ジョブ中止報知画面）の一例を示す図である。
【図４】ＵＩ画面１０に表示される報知画面の画面レイアウト（白紙検出報知画面の変形例）の一例を示す図である。
【図５】図１に示した複合機１における制御処理の動作を説明するフローチャートである。
【図６】実施例２に係わる複合機１の概略構成を示すブロック図である。
【図７】実施例２に係わるＵＩ画面１０に表示される報知画面の画面レイアウト（機能設定確認画面）の一例を示す図である。
【図８】実施例２に係わる複合機１における制御処理の動作を説明するフローチャートである。
【符号の説明】
【００９３】
１    複合機
１０    ＵＩ（User Interface）画面
１１    ＵＩ（User Interface）画面制御部
１２    システムデータ記憶部
１３    音声出力部
１４    音声制御部
１５    音声データ記憶部
１６    白紙検出部
１７    画像読取部
１８    設定状況検出部
【図１】
2006094023.tif 000003
【図２】
2006094023.tif 000004
【図３】
2006094023.tif 000005
【図４】
2006094023.tif 000006
【図５】
2006094023.tif 000007
【図６】
2006094023.tif 000008
【図７】
2006094023.tif 000009
【図８】
2006094023.tif 000010